(57)【要約】【課題】簡易な構成で、読み取る画像の品質を低下させることなく、コンタクトガラスの下面を清掃する。【解決手段】画像読取装置は、コンタクトガラス、スキャナー、および清掃部を備える。スキャナーが往路移動する場合、突出片が傾斜部に接した状態で移動することで、突出片がガイドレールの下側の領域から上側の領域に案内され、アームが弾性部材による上方向への押圧に抗して回動して、清掃部材が下方向に変動しコンタクトガラスの下面に非接触の状態となる。スキャナーが復路移動する場合、切欠部が形成された位置で突出片が切欠部の切り欠きを通過してガイドレールの上側の領域から下側の領域に案内され、アームが弾性部材による上方向への押圧により回動して、清掃部材が上方向に変動しコンタクトガラスの下面に接触した状態となる。【選択図】図３
2018033046.tif 000002
【特許請求の範囲】
【請求項１】
読取対象の原稿が載置されるコンタクトガラスと、
主走査方向に延びた長尺状の読取機構を有し、前記コンタクトガラスの原稿が載置される上面とは反対側の下面側において副走査方向に往復移動して、前記原稿を読み取るスキャナーと、
主走査方向に延びた長尺状の部材であって、弾性部材により上方向に押圧された状態で前記スキャナーに設けられ、前記コンタクトガラスの下面に接触して前記スキャナーとともに移動することで、前記コンタクトガラスの下面を清掃する清掃部と、を備え、
前記スキャナーの主走査方向の側面には、当該側面から突出した回動軸、および当該回動軸に支持されたアームであって、その一端部と他端部との間に位置する中央部を回動中心として回動可能なアームが設けられ、
前記アームの一端部には、前記清掃部の主走査方向の端部が接続され、前記清掃部が前記アームの回動により上下方向の位置が変動可能な状態で支持され、
前記アームの他端部には、前記主走査方向に突出した突出片が設けられ、当該突出片が前記スキャナーの主走査方向の側面に対向する位置に設けられたガイドレールによりガイドされ、
前記ガイドレールは、副走査方向に延びた長尺状の部材であって、その一部が切り欠けられた切欠部、およびその一方の端部に当該一方の端部側に向かって下方に傾斜した傾斜部が形成されており、
前記スキャナーが往路移動する場合、前記突出片が前記傾斜部に接した状態で移動することで、前記突出片が前記ガイドレールの下側の領域から前記ガイドレールの上側の領域に案内され、前記突出片が前記ガイドレールの上側の領域に位置することで、前記アームが前記弾性部材による上方向への押圧に抗して回動して、前記清掃部材が下方向に変動し、前記清掃部材が前記コンタクトガラスの下面に非接触の状態となり、
前記スキャナーが復路移動する場合、前記切欠部が形成された位置で前記突出片が前記切欠部の切り欠きを通過して前記ガイドレールの上側の領域から前記ガイドレールの下側の領域に案内され、前記突出片が前記ガイドレールの下側の領域に位置することで、前記アームが前記弾性部材による上方向への押圧により回動して、前記清掃部材が上方向に変動し、前記清掃部材が前記コンタクトガラスの下面に接触した状態となる、画像読取装置。
【請求項２】
前記切欠部の切り欠きを覆い、副走査方向の一端を支点として上方向に開閉可能な扉部を更に備え、
前記扉部は、上方向に向けて付勢されて開状態となっており、前記スキャナーの往路移動により前記突出片が前記扉部の一端側から前記扉部が設置された位置に移動すると、前記突出片が前記扉部に乗り上げることで前記付勢に抗して前記扉部が開状態から閉状態になり、前記スキャナーの復路移動により前記突出片が前記扉部の他端側から前記扉部が設置された位置に移動すると、前記扉部が開状態のまま前記突出片が前記切欠部の切り欠きを通過して、前記ガイドレールの上側の領域から前記ガイドレールの下側の領域に移動する、請求項１に記載の画像読取装置。
【請求項３】
前記切欠部は、前記ガイドレールに複数形成され、
前記扉部は、複数の前記切欠部のそれぞれに１つずつ設置されている、請求項２に記載の画像読取装置。
【請求項４】
前記傾斜部は、前記一方の端部を支点として傾斜角度が変更可能に設けられ、かつ下方向に向けて付勢されており、
前記スキャナーの復路移動により前記突出片が前記傾斜部が設置された位置に移動すると、前記突出片が前記傾斜部に接触することで前記付勢に抗して前記傾斜部の傾斜角度が緩やかになり、前記傾斜部が設置された位置を前記突出片が通過可能な状態になる、請求項１乃至請求項３の何れか１項に記載の画像読取装置。
【請求項５】
前記スキャナーの主走査方向の側面に対向する位置であって、前記ガイドレールよりも下方向の位置に設けられた補助ガイドレールを更に備え、
前記補助ガイドレールは、前記傾斜部に接して傾斜角度の最大角度を規制する、請求項１乃至請求項４の何れか１項に記載の画像読取装置。
【請求項６】
前記スキャナーは、往路移動する際に原稿の読み取り動作を行い、復路移動する際に原稿の読み取り動作を行わない、請求項１乃至請求項５の何れか１項に記載の画像読取装置。
【請求項７】
請求項１乃至請求項６の何れか１項に記載の画像読取装置と、
前記画像読取装置が読み取った原稿の画像を記録紙に形成する画像形成部と、を備える画像形成装置。
【発明の詳細な説明】
【技術分野】
【０００１】
本発明は、画像読取装置および当該画像読取装置を備える画像形成装置に関する。
【背景技術】
【０００２】
主走査方向に延びた読取機構を有するスキャナーを副走査方向に往復移動させることで、コンタクトガラスに載置された原稿の画像を読み取る画像読取装置が知られている。画像読取装置内に入り込んだゴミや埃などがコンタクトガラスの下面に付着する場合がある。このような場合に原稿の読み取りを行うと、ゴミや埃などを原稿とともに読み取ってしまい、読み取った画像の品質が低下してしまう。
【０００３】
下記の特許文献１には、ファンを用いてコンタクトガラスの下面に付着したゴミや埃などを除去する技術が開示されている。また、下記の特許文献２には、スキャナーに清掃部材を設け、当該清掃部材をコンタクトガラスの下面に接触させた状態でスキャナーの往復移動とともに移動させることでコンタクトガラスの下面を清掃する技術が開示されている。また、下記の特許文献２では、清掃部材の位置をレール上を転動する車輪の回転を利用して変動させている。これにより、原稿の読み取り動作を行わない復路をスキャナーが移動する際には、清掃部材がコンタクトガラスの下面に接触するが、原稿の読み取り動作を行う往路をスキャナーが移動する際には、清掃部材がコンタクトガラスの下面に非接触となる。これにより、清掃部材がコンタクトガラスの下面に接触することで発生する振動などにより読み取った画像の品質が低下するという事態を回避することができる。
【先行技術文献】
【特許文献】
【０００４】
【特許文献１】特開平２−２９３７３０号公報
【特許文献２】特開２０１０−３４７８７号公報
【発明の概要】
【発明が解決しようとする課題】
【０００５】
しかしながら、特許文献１に開示される技術では、風によって舞い上がったゴミや埃などがコンタクトガラスの下面に再付着するおそれがある。また、専用のファンを新たに設ける必要があり、画像読取装置の構成が複雑になるという問題もある。
【０００６】
一方、特許文献２に開示される技術では、清掃部材の位置をレール上を転動する車輪の回転を利用して変動させているが、この機構を実現するためにはトルクリミッターなどのトルク軽減手段などが必要となり、画像読取装置の構成が複雑になるという問題がある。
【０００７】
本発明は、上記の事情に鑑みなされたものであり、簡易な構成で、読み取る画像の品質を低下させることなく、コンタクトガラスの下面を清掃することを可能にすることを目的とする。
【課題を解決するための手段】
【０００８】
本発明の一局面にかかる画像読取装置は、読取対象の原稿が載置されるコンタクトガラスと、主走査方向に延びた長尺状の読取機構を有し、前記コンタクトガラスの原稿が載置される上面とは反対側の下面側において副走査方向に往復移動して、前記原稿を読み取るスキャナーと、主走査方向に延びた長尺状の部材であって、弾性部材により上方向に押圧された状態で前記スキャナーに設けられ、前記コンタクトガラスの下面に接触して前記スキャナーとともに移動することで、前記コンタクトガラスの下面を清掃する清掃部と、を備え、前記スキャナーの主走査方向の側面には、当該側面から突出した回動軸、および当該回動軸に支持されたアームであって、その一端部と他端部との間に位置する中央部を回動中心として回動可能なアームが設けられ、前記アームの一端部には、前記清掃部の主走査方向の端部が接続され、前記清掃部が前記アームの回動により上下方向の位置が変動可能な状態で支持され、前記アームの他端部には、前記主走査方向に突出した突出片が設けられ、当該突出片が前記スキャナーの主走査方向の側面に対向する位置に設けられたガイドレールによりガイドされ、前記ガイドレールは、副走査方向に延びた長尺状の部材であって、その一部が切り欠けられた切欠部、およびその一方の端部に当該一方の端部側に向かって下方に傾斜した傾斜部が形成されており、前記スキャナーが往路移動する場合、前記突出片が前記傾斜部に接した状態で移動することで、前記突出片が前記ガイドレールの下側の領域から前記ガイドレールの上側の領域に案内され、前記突出片が前記ガイドレールの上側の領域に位置することで、前記アームが前記弾性部材による上方向への押圧に抗して回動して、前記清掃部材が下方向に変動し、前記清掃部材が前記コンタクトガラスの下面に非接触の状態となり、前記スキャナーが復路移動する場合、前記切欠部が形成された位置で前記突出片が前記切欠部の切り欠きを通過して前記ガイドレールの上側の領域から前記ガイドレールの下側の領域に案内され、前記突出片が前記ガイドレールの下側の領域に位置することで、前記アームが前記弾性部材による上方向への押圧により回動して、前記清掃部材が上方向に変動し、前記清掃部材が前記コンタクトガラスの下面に接触した状態となる、画像読取装置である。
【０００９】
また、本発明の別の一局面にかかる画像形成装置は、上記の画像読取装置と、上記の画像読取装置が読み取った画像を記録紙に形成する画像形成部と、を備える画像形成装置である。
【発明の効果】
【００１０】
本発明によれば、簡易な構成で、読み取る画像の品質を低下させることなく、コンタクトガラスの下面を清掃することが可能になる。
【図面の簡単な説明】
【００１１】
【図１】本発明の一実施形態にかかる画像読取装置を備えた画像形成装置を示す斜視図である。
【図２】本発明の一実施形態にかかる画像読取装置のスキャナーを示す斜視図である。
【図３】本発明の一実施形態にかかる画像読取装置のスキャナーを示す部分拡大図である。
【図４】図３に示した図面を横方向から見た図である。
【図５】（Ａ）〜（Ｄ）は、スキャナーが往路移動する際のアームおよび清掃部材の動きを示す図である。
【図６】（Ａ）〜（Ｃ）は、スキャナーが復路移動する際のアームおよび清掃部材の動きを示す図である。
【発明を実施するための形態】
【００１２】
以下、本発明の一実施形態にかかる画像読取装置およびこれを備えた画像形成装置について図面を参照して説明する。図１は、本発明の一実施形態にかかる画像読取装置を備えた画像形成装置を示す斜視図である。
【００１３】
図１に示すように、画像形成装置１は、装置本体８０と、装置本体８０の上方に配置された画像読取装置１０とから概略構成される。
【００１４】
装置本体８０の外郭を構成する筐体８１の内部には、画像形成部（不図示）等が収容されている。画像形成部は、感光体ドラム（不図示）、帯電装置（不図示）、露光装置（不図示）、および現像装置（不図示）等を備え、帯電、露光、現像の工程により、感光体ドラムに画像読取装置１０が読み取った原稿のトナー画像を形成する。その後、画像形成部は、当該トナー像を記録紙に転写して定着処理を施した記録紙を排出トレイ８２に排出する。
【００１５】
装置本体８０の筐体８１の前面には、操作部８３が配置されている。操作部８３は、画像読取ジョブの実行を指示するためのスタートキー等の複数の操作キー８３１と、液晶ディスプレイ（ＬＣＤ：Liquid Crystal Display）や有機ＥＬ（ＯＬＥＤ：Organic Light-Emitting Diode）ディスプレイを含んで構成される表示部８３２とを備えている。
【００１６】
画像読取装置１０は、読取部３０と、読取部３０の上方に配置された原稿搬送部２０とを備えている。原稿搬送部２０は、原稿載置台２１に載置された原稿を、後述するコンタクトガラス３２（図２参照）に向けて搬送する。コンタクトガラス３２に搬送された原稿は、予め定められた原稿読取位置で後述するスキャナー４０（図２参照）により読み取られ、その後原稿排出部２２へ排出される。
【００１７】
また、原稿搬送部２０は、コンタクトガラス３２の主面に対して開閉自在に設けられており、コンタクトガラス３２に載置された原稿を押さえる原稿押さえ部材としての役割も果たす。
【００１８】
図２は、読取部３０を示す斜視図である。本図に示されるように、読取部３０は、箱形の筐体３１を備えている。筐体３１の上面３１Ａ（原稿搬送部２０が閉じられた状態で原稿搬送部２０に対向する面）には開口が設けられており、当該開口にコンタクトガラス３２が装着されている。
【００１９】
コンタクトガラス３２の原稿が載置される上面とは反対側の下面側には、スキャナー４０が設けられている。スキャナー４０は、箱形の筐体４１の内部に主走査方向（図中のＹ方向）に延びた長尺状の読取機構を備える。読取機構は、赤色ＬＥＤ、緑色ＬＥＤ、青色ＬＥＤの複数のＬＥＤ等から構成された発光部（不図示）と、ＣＭＯＳ（Complementary Metal Oxide Semiconductor）イメージセンサー等の受光部（不図示）から構成されている。スキャナー４０は、モーターやギアからなる不図示の駆動部により副走査方向（図中のＸ方向）に往復移動して、上記の読取機構によりコンタクトガラス３２に載置された原稿を読み取る。なお、スキャナー４０は、往路移動する際に原稿の読み取り動作を行い、復路移動する際に原稿の読み取り動作を行わない。
【００２０】
また、図３および図４に示すように、画像読取装置１０は、コンタクトガラス３２の下面を清掃する清掃部材５０を備えている。清掃部材５０は、主走査方向に延びた長尺状の基部５２と、当該基部５２の上面に接着された清掃ヘッド５１とを含んで構成される。清掃ヘッド５１には、コンタクトガラス３２の下面に接触してコンタクトガラス３２の下面を清掃する部材であり、コンタクトガラス３２を傷つけることがなく適度な耐摩耗性を有する部材、例えばポリウレタンなどが用いられる。
【００２１】
清掃部材５０は、基部５２がスキャナー４０に設けられた弾性部材５３により上方向（図中のプラスＺ方向）に押圧された状態で、スキャナー４０に設けられており、スキャナー４０の往復移動とともにコンタクトガラス３２の下面側を移動する。弾性部材５３による押圧により清掃ヘッド５１がコンタクトガラス３２の下面に接触した状態で清掃部材５０が移動することで、コンタクトガラス３２の下面を清掃することができる。
【００２２】
ここで、スキャナー４０のマイナスＹ方向の側面４１Ａには、当該側面４１Ａから突出した回動軸（図３および図４では見えない）、および当該回転軸に支持されたアーム４２が設けられている。アーム４２は、一端部と他端部との間に位置する中央部を回動中心として回動可能となっている。アーム４２の一端部には、プラスＹ方向に向けて柱状の支持部材４３が立設されている。支持部材４３は清掃部材５０の基部５２のマイナスＹ方向の端部と接続されている。
【００２３】
また、図３および図４では見えないが、スキャナー４０のプラスＹ方向の側面にも、上記の構成と同様の構成（回転軸、アーム、支持部材など）が設けられており、支持部材が清掃部材５０の基部５２のプラスＹ方向の端部と接続されている。これにより、清掃部材５０がアーム４２の回動により上下方向の位置が変動可能な状態で支持されている。
【００２４】
アーム４２の他端部には、マイナスＹ方向に突出した突出片４４が設けられている。また、スキャナー４０の側面４１Ａに対向する位置には、副走査方向に延びた長尺状の部材からなるガイドレール６０が設けられている。突出片４４は、スキャナー４０の往復移動に応じて、当該ガイドレール６０の上側（プラスＺ方向側）の領域または下側（マイナスＺ方向側）の領域を行き来する。
【００２５】
ガイドレール６０のマイナスＸ方向の端部には、突出片４４を下側の領域から上側の領域へ案内する第１切り替え部材６１が設けられている。第１切り替え部材６１は、ガイドレール６０のマイナスＸ方向の端部がマイナスＸ方向に向かって下方に傾斜した傾斜部を形成している。スキャナー４０の往路移動により、突出片４４が当該傾斜部を形成する第１切り替え部材６１に接した状態でプラスＸ方向へ移動することで、突出片４４がガイドレール６０の下側の領域からガイドレール６０の上側の領域に案内される。
【００２６】
第１切り替え部材６１は、ガイドレール６０のマイナスＸ方向の端部を支点として傾斜角度が変更可能に設けられ、かつ内部に設けられた弾性部材により下方向に向けて付勢されている。第１切り替え部材６１の先端は、ガイドレール６０よりも下方向の位置に設けられた補助ガイドレール６４に当接し、第１切り替え部材６１の傾斜角度が一定の角度以上にならないように規制されている。
【００２７】
スキャナー４０の復路移動により、突出片４４がマイナスＸ方向へ移動して突出片４４がプラスＸ方向側から第１切り替え部材６１に接触すると、当該突出片４４による押圧により上記の付勢に抗して第１切り替え部材６１の傾斜角度が緩やかになる。これにより、第１切り替え部材６１が設置された位置を突出片４４が通過可能な状態になる。
【００２８】
また、ガイドレール６０には、その一部が切り欠けられた切欠部６３が複数形成されている。当該切欠部６３によりガイドレール６０が複数のガイドレールに分割されている。そして、各切欠部６３には、切欠部６３の切り欠きを覆い、分割されたガイドレールのプラスＸ方向の端部を支点として上方向に開閉可能な第２切り替え部材６２（扉部）が設けられている。
【００２９】
第２切り替え部材６２は、内部に設けられた弾性部材により上方向に向けて付勢されており、通常の状態では開状態となっている。スキャナー４０の往路移動により、突出片４４がプラスＸ方向へ移動して突出片４４がマイナスＸ方向側から第２切り替え部材６２に接触すると、突出片４４が第２切り替え部材６２に乗り上げて、突出片４４による押圧により上記の付勢に抗して第２切り替え部材６２が開状態から閉状態になる。
【００３０】
一方、スキャナーの復路移動により、突出片４４がマイナスＸ方向へ移動して突出片４４がプラスＸ方向側から第２切り替え部材６２が設置された位置に移動すると、第２切り替え部材６２が開状態であるため、突出片４４が切欠部６３の切り欠きを通過して、ガイドレール６０の上側の領域からガイドレール６０の下側の領域に案内される。
【００３１】
なお、図３および図４では見えないが、スキャナー４０のプラスＹ方向の側面にも、上記の構成と同様の構成（ガイドレール、補助ガイドレールなど）が設けられている。
【００３２】
上記の構成を備える画像読取装置１０でスキャナー４０が往路移動および復路移動する際のアーム４２および清掃部材５０の動きを、図５（Ａ）〜図６（Ｃ）を用いて説明する。図５（Ａ）〜図５（Ｄ）は、スキャナー４０が往路移動する際のアーム４２および清掃部材５０の動きを示し、図６（Ａ）〜図６（Ｃ）は、スキャナーが復路移動する際のアーム４２および清掃部材５０の動きを示す。
【００３３】
図５（Ａ）は、スキャナー４０がホームポジションに位置するときのアーム４２および清掃部材５０の様子を示す図である。本図に示すように、スキャナー４０がホームポジションに位置するときには、突出片４４が第１の切り替え部材６１よりもマイナスＸ方向側に位置しているため、突出片４４はガイドレール６０の下側の領域に位置している。このとき、アーム４２が紙面の右斜め上方向に向けて傾き、支持部材４３の高さ方向の位置が突出片４４の高さ方向の位置よりも高くなっている。この結果、清掃部材５０がコンタクトガラス３２の下面に接触した状態になっている。
【００３４】
図５（Ｂ）は、スキャナー４０が往路移動し始めて、ホームポジションからスキャナー４０が移動したときのアーム４２および清掃部材５０の様子を示す図である。本図に示すように、スキャナー４０がホームポジションから往路移動したときには、突出片４４が第１切り替え部材６１によりガイドレール６０の下側の領域からガイドレール６０の上側の領域に案内されるため、突出片４４は、ガイドレール６０の上側の領域に位置している。このとき、アーム４２が紙面の右斜め下方向に向けて傾き、支持部材４３の高さ方向の位置が突出片４４の高さ方向の位置よりも低くなっている。この結果、清掃部材５０がコンタクトガラス３２の下面に非接触の状態になっている。
【００３５】
図５（Ｃ）は、スキャナー４０が往路移動して、突出片４４が切欠部６３が形成された位置に移動したときのアーム４２および清掃部材５０の様子を示す図である。本図に示すように、突出片４４がプラスＸ方向へ移動して突出片４４がマイナスＸ方向側から第２切り替え部材６２に接触すると、突出片４４が第２切り替え部材６２に乗り上げて、突出片４４による押圧により上記の付勢に抗して第２切り替え部材６２が開状態から閉状態になるため、突出片４４は切欠部６３の切り欠きを通過しない。このため、突出片４４がガイドレール６０の上側の領域に位置したままとなり、清掃部材５０がコンタクトガラス３２の下面に非接触の状態が維持される。
【００３６】
図５（Ｄ）は、スキャナー４０が往路移動を終了したときのアーム４２および清掃部材５０の様子を示す図である。本図に示すように、突出片４４が切欠部６３が形成された位置を通過すると第２切り替え部材６２が開状態に戻る。
【００３７】
このように、清掃部材５０がコンタクトガラス３２の下面に非接触の状態で、スキャナー４０が往路移動される。すなわちスキャナー４０が原稿の読み取り動作を行っている間は、清掃部材５０がコンタクトガラス３２の下面に接触することがない。
【００３８】
図６（Ａ）は、スキャナー４０が復路移動し始めたときのアーム４２および清掃部材５０の様子を示す図である。本図に示すように、突出片４４がマイナスＸ方向へ移動して突出片４４がプラスＸ方向側から第２切り替え部材６２が設置された位置に移動すると、第２切り替え部材６２が開状態であるため、突出片４４が切欠部６３の切り欠きを通過して、ガイドレール６０の上側の領域からガイドレール６０の下側の領域に案内される。このとき、アーム４２が紙面の右斜め上方向に向けて傾き、支持部材４３の高さ方向の位置が突出片４４の高さ方向の位置よりも高くなっている。この結果、清掃部材５０がコンタクトガラス３２の下面に接触した状態になっている。
【００３９】
図６（Ｂ）は、図６（Ａ）に示した状態からスキャナー４０が更に復路移動した場合のアーム４２および清掃部材５０の様子を示す図である。本図に示すように、突出片４４がガイドレール６０の下側の領域に位置したスキャナー４０が移動するため、清掃部材５０がコンタクトガラス３２の下面に接触した状態が維持される。
【００４０】
図６（Ｃ）は、スキャナー４０が復路移動を終了したときのアーム４２および清掃部材５０の様子を示す図である。本図に示すように、突出片４４がマイナスＸ方向へ移動して突出片４４がプラスＸ方向側から第１切り替え部材６１に接触すると、当該突出片４４による押圧により上記の付勢に抗して第１切り替え部材６１の傾斜角度が緩やかになる。これにより、第１切り替え部材６１が設置された位置を突出片４４が通過する。
【００４１】
このように、清掃部材５０がコンタクトガラス３２の下面に接触した状態で、スキャナー４０が復路移動される。すなわちスキャナー４０が原稿の読み取り動作を行っていない間は、清掃部材５０がコンタクトガラス３２の下面に接触してコンタクトガラス３２の下面を清掃する。
【００４２】
以上のように本発明の一実施形態にかかる画像読取装置１０によれば、原稿の読み取り動作を行わない復路をスキャナー４０が移動する際には、清掃部材５０がコンタクトガラス３２の下面に接触するが、原稿の読み取り動作を行う往路をスキャナー４０が移動する際には、清掃部材５０がコンタクトガラス３２の下面に非接触となる。これにより、清掃部材５０がコンタクトガラス３２の下面に接触することで発生する振動などにより読み取った画像の品質が低下するという事態を回避することができる。また、上記の動作をアーム４２やガイドレール６０といった簡易な構成のみで実現している。すなわち、画像読取装置１０によれば、簡易な構成で、読み取る画像の品質を低下させることなく、コンタクトガラス３２の下面を清掃することが可能になる。
【符号の説明】
【００４３】
１     画像形成装置
１０   画像読取装置
２０   原稿搬送部
３０   読取部
３２   コンタクトガラス
４０   スキャナー
４１   筐体
４２   アーム
４３   支持部材
４４   突出片
５０   清掃部材
５１   清掃ヘッド
５２   基部
５３   弾性部材
６０   ガイドレール
６１   第１切り替え部材
６２   第２切り替え部材
６３   切欠部
６４   補助ガイドレール
【図１】
2018033046.tif 000003
【図２】
2018033046.tif 000004
【図３】
2018033046.tif 000005
【図４】
2018033046.tif 000006
【図５】
2018033046.tif 000007
【図６】
2018033046.tif 000008